(57)【特許請求の範囲】
【請求項１】
建築物の室内のレイアウト変更に際して空調吹出口を可動させるため天井に設けられた空調用軌道と、レイアウトが変更された各部屋に少なくとも一つは配置されるように前記空調用軌道に沿って移動可能に設けられた複数の空調吹出口と、該空調吹出口のそれぞれと空調機とを連通するように前記天井の裏側に配設された可撓性を備えた複数のダクトとを備え、各空調吹出口は、各ダクトにより空調機に接続された状態で空調用軌道に沿って移動可能であることを特徴とする可動型空調設備。
【請求項２】
前記天井にスリットを形成し、該スリットの両側に前記空調用軌道を設け、該空調用軌道に配置された前記複数の空調吹出口の間におけるスリットには、着脱自在の蓋を配設したことを特徴とする請求項１記載の可動型空調設備。
【請求項３】
請求項１又は請求項２記載の可動型空調設備を備え、前記天井に間仕切壁を可動させるための壁用軌道を設け、該壁用軌道の所定箇所には、これに沿って移動可能な複数の間仕切壁を設けたことを特徴とする間取り可変型建築構造。
【請求項４】
建築物の室内の所定領域において、柱、梁、壁、天井及び床の各部位を室内に突出しないように形成したことを特徴とする請求項３記載の間取り可変型建築構造。
【発明の詳細な説明】
【０００１】
【発明の属する技術分野】
本発明は可動型空調設備と、これを備えて間取りを自在に変更可能な建築物の構造に関する。
【０００２】
【従来の技術】
従来、建築物の間仕切壁、特に、集合住宅又はオフィスビルの間仕切壁は構造躯体に固定した状態で形成されており、この間仕切壁で仕切られた各部屋の空調は、個別式あるいは中央式によって行われている。この個別式では、各室内に空調機を直接設置して空調を行っており、一方、中央式では、一箇所に配置した空調機からダクトを延ばし、各室内にそれぞれ固定した吹出口に接続して空調を行っている。
上記集合住宅等の間仕切壁に対し、オフィスビルにおける会議室では、可動式間仕切壁が設けられることもあり、これによって会議室は複数のパターンで分割することが可能となる。そして、ここでも、空調は個別式あるいは中央式によって行われており、中央式空調の吹出口あるいは個別式空調の空調機は、壁面や天井に直接配置されている。
【０００３】
【発明が解決しようとする課題】
上記集合住宅においては、年月の経過にしたがい居住者の家族構成やライフスタイルに変化が生じ、間取りの変更や模様替えの要求が生じることがある。しかしながら、固定式間仕切壁は居住者自らが容易にレイアウトを変更できないばかりか、固定式間仕切壁や構造躯体には、中央式空調の吹出口あるいは個別式空調の空調機が直接固定されているため、これらを居住者自らが移設するのは困難であり、またリフォームの際の施工コストも高くなるという欠点があった。
また可動式間仕切壁を備えたオフィスビル等の居室においては、居室空間を分割した場合にも、各居室に偏り無く空調が行えるように空調機器を配置しなければならないため、設備が過剰になるという問題があった。なお、上述した欠点や問題は他の建築物においても同様である。
【０００４】
本発明は上記従来技術の欠点に着目し、これを解決せんとしたものであり、その課題は、空調の吹出口を簡易かつ自在に移動することができる空調設備を提供することにある。
【０００５】
本発明の別の課題は、空調の吹出口や空調機の配置に左右されず、建築物の内部を自在に分割してレイアウト変更が可能な可変型建築構造を提供することにある。
【０００６】
また本発明の別の課題は、建築物内のレイアウトを変更する際、間仕切壁を所望の箇所に配置することが容易な可変型住戸構造を提供することにある。
【０００７】
【課題を解決するための手段】
上記課題を解決するために、本発明では、建築物の室内のレイアウト変更に際して空調吹出口を可動させるため天井に設けられた空調用軌道と、レイアウトが変更された各部屋に少なくとも一つは配置されるように前記空調用軌道に沿って移動可能に設けられた複数の空調吹出口と、該空調吹出口のそれぞれと空調機とを連通するように前記天井の裏側に配設された可撓性を備えた複数のダクトとを備え、各空調吹出口は、各ダクトにより空調機に接続された状態で空調用軌道に沿って移動可能であることを特徴とする可動型空調設備が提供される。
本発明の可動型空調設備では、空調吹出口が空調用軌道に沿って移動可能で、ダクトは屈曲して空調吹出口の移動に追従することができるので、空調吹出口の移動が簡易かつ自在に行える。
ここで、前記天井にはスリットを形成し、該スリットの両側に前記空調用軌道を設け、該空調用軌道に配置された前記複数の空調吹出口の間におけるスリットには、着脱自在の蓋を配設しても良い。かような空調用軌道において、所定の蓋を外すことにより空調吹出口は空調用軌道に沿う移動が可能になり、移動後は、蓋をもどすだけで空調吹出口の間のスリットを塞ぐことができるので、空調吹出口の移動は簡易かつ自在に行える。
【０００８】
本発明では、請求項１又は請求項２記載の可動型空調設備を備え、前記天井に間仕切壁を可動させるための壁用軌道を設け、該壁用軌道の所定箇所には、これに沿って移動可能な複数の間仕切壁を設けたことを特徴とする間取り可変型建築構造が提供される。この間取り可変型建築構造では、上述したように、壁用軌道と、この壁用軌道に沿って移動可能な複数の間仕切壁を備え、さらに、住戸内における移動が簡易かつ自在に行える空調吹出口を備えるので、住戸内のレイアウトの変更は、間仕切壁、空調吹出口及び空調機の配置により制約を受けること無く自在に行うことができる。
ここで、建築物の室内の所定領域においては、柱、梁、壁、天井及び床の各部位を室内に突出しないように形成することが好ましい。例えば、集合住宅等においては、台所、洗面所、トイレ及び浴室等のいわゆる水廻り部分を一ヵ所に集中配置し、この水廻り部分以外の領域を上記所定領域として、この領域における柱、梁、壁、天井及び床の各部位を室内に突出しないように形成する。すなわち、柱と、これに連設されてベランダや外廊下に面する壁及び梁とは、その室内側の面が同一面に位置するように、それぞれを形成し、また戸境壁はこれに連設される梁が壁面から突出しないように、梁を内包する厚さに形成し、さらに床や天井の仕上げ面は前記所定領域の全域にわたって段差無しで平坦に形成する。以上のように、建築物室内の所定領域を形成すれば、間仕切壁および空調吹出口の移動や、住戸内のレイアウトの変更は、各部位の突出部によって制約を受けること無く自在に行うことができる。
【０００９】
【実施例】
以下、添付図面に基づいて実施例を説明するが、本発明はこれに限定されるものではない。図１は可動間仕切壁を備えた住戸の斜視図であって、本発明の可動型空調設備は省略して示されており、図２は図１の住戸に本発明の可動型空調設備を適用した際の平面図であり、図３は図１及び図２とは異なる間取りの住戸に本発明の可動型空調設備を適用した際の平面図である。また、図４は本発明の可動型空調設備の吹出口を拡大して示した斜視図であり、図５は本発明の可動型空調設備の吹出口の断面図であり、図６は蓋によって塞がれたスリットを示す断面図である。
【００１０】
図１に示した住戸では、台所、洗面所、トイレ及び浴室等のいわゆる水廻り部分を一ヵ所に集中配置しており、この水廻り部分以外の領域における柱、梁、壁、天井及び床の各部位を室内に突出しないように形成している。すなわち、柱４１，，４１と、ベランダ４０や外廊下４８に面する壁４６及び梁（図示せず）とは、その室内側の面が同一面に位置するように形成し、また戸境壁４２，４２は梁（図示せず）を内包する厚さに形成し、さらに床や天井の仕上げ面は水廻り部分以外の領域の全域にわたって段差無しで平坦に形成する。
【００１１】
また、図１の住戸では、天井４３の裏側に壁用軌道４４を設置し、複数の可動間仕切壁４５を壁用軌道４４に沿って移動可能に設け、さらに、二つの居室３０，３２の間には可動家具３１，３１を設置する。そして、この可動間仕切壁４５や可動家具３１を所定位置まで移動して、該所定位置に設置することにより、住戸内は適宜間仕切りがなされ、居室３０，３２及びリビングルーム３３は形成される。
なお、前記可動間仕切壁４５としては、上辺につり車（図示せず）を備え、下辺にフランス落し（図示せず）を備えた従来型の可動間仕切壁を用いるか、あるいは、この従来型可動間仕切壁に、電力系の強電線およびテレビや電話等の信号系の弱電線等の配線や、これら配線に接続したコネクターが内装された可動間仕切壁を用いることができる。また図１において、壁用軌道４４は戸境壁４２に平行な方向にのみ示されているものの、必要に応じて壁用軌道はこれ以外の箇所にも配設可能であり、例えば、図３に示した壁体４５ａのように壁用軌道４４に直交する方向の天井裏に設けても良く、かように壁用軌道を設ければ、壁体４５ａも可動間仕切壁４５によって設置・取外し可能な壁体として形成できる。
【００１２】
上述した住戸において、本発明の可動型空調設備は、図２に示したような配置で天井裏に設けられる。すなわち、水廻り部分以外の居室３０，３２とリビングルーム３３との天井１９にはそれぞれスリット１８が各別に形成され、各スリット１８の両側には吹出口ガイド１７が延設され、この吹出口ガイド１７には、これに沿って移動可能な複数の吹出口１０，１０ａ〜１０ｄが設けられ、スリット１８において吹出口１０，１０ａ〜１０ｄが配置されていない箇所には着脱自在の蓋１６が設けられ、天井１９の裏側には吹出口１０と空調機２０とを連通するように可撓性ダクト１５が延設される。
【００１３】
前記吹出口１０，１０ａ〜１０ｄは、間取りの変更や模様替えにより部屋数が増加した場合にも、各部屋に少なくとも１つは配置されるように、設置個数を適宜定める必要が在り、ここでは居室３０，３２の天井のスリットに３個の吹出口１０ａ〜１０ｃが配置され、リビングルーム３３の天井のスリットには１個の吹出口１０ｄが配置されている。
また前記吹出口１０は、図４及び図５に示したように、固定部１２と回転部１１とからなり、固定部１２は板体１２ｄの中央に開口１２ａが形成され、この開口１２ａから筒状の立上り部１２ｃが延長し、その上端に接続部１２ｂが形成されている。一方、回転部１１は、固定部１２の接続部１２ｂに接続する開口１１ａと、可撓性ダクト１５に接続する接続口１１ｂとを備えた筒状に形成されている。ここで、回転部１１の開口１１ａは、固定部１２の接続部１２ｂに回転可能かつ接続可能に形成されており、また固定部１２の板体１２ｄはその両側が吹出口ガイド１７の凹部に緩やかに嵌まるように形成されており、これにより、固定部１２は吹出口ガイド１７に嵌まった状態でスライドすることが可能となる。
【００１４】
前記空調機２０は、その平面位置が住戸のほぼ中央になるように天井裏に配置し、ベランダ４０等の室外に設置した室外機２１と配管２２で接続する。そして、この空調機２０には、前記可撓性ダクト１５ａ〜１５ｄのそれぞれ一端を接続し、また可撓性ダクト１５ａ〜１５ｄの他端はそれぞれ吹出口１０ａ〜１０ｄの接続口１１ｂに接続する。ここで、可撓性ダクト１５ａ〜１５ｄの長さは、各吹出口１０ａ〜１０ｄがそれぞれ符号ａ，ｂ，ｃ，ｄで示された範囲を移動した場合にも、吹出口１０ａ〜１０ｄと空調機２０との連通状態を維持することができるように適宜定める。
【００１５】
前記吹出口ガイド１７では、図５及び図６に示したように、ガイド上端１７ａを天井の端部１９ａよりも内側に配置して凹部を形成する。かように凹部を形成すれば、吹出口１０の板体１２ｄや蓋１６を、天井裏から吹出口ガイド１７に落とし込んで容易に嵌めることができると共に、スリット１８から室内への落下を防止できる。
【００１６】
次に、図１及び図２に示した間取りから変更したものについて、図３を参照して説明する。図３では上述したように、図１及び図２の構成に加えて、壁体４５ａが可動間仕切壁によって形成されており、この壁体４５ａの上方の天井裏には壁用軌道４４から分岐した壁用軌道（図示せず）が配置されている。そして、壁体４５ａにより収納３６を介して居室３５と３７とが仕切られ、また可動家具３８により居室３７と３９とが仕切られる。この時、３つの吹出口１０ａ〜１０ｃは各居室３５，３７，３９の天井にそれぞれ配置される。したがって、この場合にも空調の吹出口や空調機の配置に左右されず、図１及び図２に示した住戸に壁体４５ａを予め設けておけば、ここに可動間仕切壁を設けるだけで居室を増設することができて、住戸内を自在に分割してレイアウト変更が可能となる。
【図面の簡単な説明】
【図１】図１は可動間仕切壁を備えた住戸の斜視図である。
【図２】図１の住戸に本発明の可動型空調設備を適用した際の平面図である。
【図３】図１及び図２とは異なる間取りの住戸に本発明の可動型空調設備を適用した際の平面図である。
【図４】本発明の可動型空調設備の吹出口を拡大して示した斜視図である。
【図５】本発明の可動型空調設備の吹出口の断面図である。
【図６】蓋によって塞がれたスリットを示す断面図である。
【符号の説明】
１０，１０ａ〜１０ｄ  吹出口（空調吹出口）
１５，１５ａ〜１５ｄ  可撓性ダクト（可撓性を備えたダクト）
１６  蓋
１７  吹出口ガイド（空調用軌道）
１８  スリット
１９  天井
２０  空調機
４１  柱
４２  壁
４４  壁用軌道
４５  間仕切壁
【図１】
0003905187.tif 000002
【図２】
0003905187.tif 000003
【図３】
0003905187.tif 000004
【図４】
0003905187.tif 000005
【図５】
0003905187.tif 000006
【図６】
0003905187.tif 000007